(57)【特許請求の範囲】
【請求項１】
下り共有チャネル信号に割当てた基本周波数ブロックのキャリアインジケータを、当該下り共有チャネル信号に対する下り制御チャネル信号に割当てた時間リソースデータと組み合わせて符号化する符号化部と、
前記下り共有チャネル信号に対する下り制御チャネル信号として前記符号化されたキャリアインジケータを含んだ下り制御チャネル信号を生成する制御チャネル信号生成部と、
生成された前記下り制御チャネル信号を当該下り制御チャネル信号に割当てられた基本周波数ブロックで送信する送信部と、
を具備し、
前記キャリアインジケータが、前記下り制御チャネル信号に割当てた基本周波数ブロックから前記下り共有チャネル信号に割当てた基本周波数ブロックまでのシフト量で定義され、前記下り制御チャネル信号の時間リソースデータがシンボル数で定義され、前記シフト量と前記シンボル数との組合せを（ｘ、ｙ）として、基本周波数ブロックを組み合わせた基本周波数ブロックのセット毎に（ｘ、ｙ）が定められ、基本周波数ブロックのセット間で共通する（ｘ、ｙ）に対して同一符号が付された符号化テーブルを用いて、前記符号化部は前記キャリアインジケータを前記時間リソースデータと組み合わせて符号化し、
前記符号化テーブルは、前記基本周波数ブロックの各セットを構成する基本周波数ブロック数が２、３、４、５であり、全ての（ｘ、ｙ）に対する符号が３ビットに固定されていることを特徴とする無線通信装置。
【請求項２】
前記符号化テーブルは、前記基本周波数ブロックの各セットを構成する基本周波数ブロック数が２、３、４までは、隣接する基本周波数ブロックへのシフト量を表すｘが設定された（ｘ、ｙ）に対して前記シンボル数を１つだけ定めたｙを設定していることを特徴とする請求項１記載の無線通信装置。
【請求項３】
複数の基本周波数ブロックを受信する受信部と、
受信基本周波数ブロックから下り制御チャネル信号を復号してキャリアインジケータを取り出すと共に、前記キャリアインジケータと共にジョイント符号化されている時間リソースデータを復号する下り制御データ受信部と、
前記キャリアインジケータによって指示された受信基本周波数ブロックから、前記下り制御チャネル信号に対応した下り共有チャネル信号を、前記下り制御チャネル信号及び前記時間リソースデータを用いて復号する下り送信データ受信部と、
を具備し、
前記下り制御データ受信部は、送信機において前記キャリアインジケータと前記時間リソースデータのジョイント符号化に用いられた符号化テーブルと同じ符号化テーブルを用いて前記キャリアインジケータと共にジョイント符号化されている時間リソースデータを復号し、
前記符号化テーブルは、前記キャリアインジケータが、前記下り制御チャネル信号に割当てた基本周波数ブロックから前記下り共有チャネル信号に割当てた基本周波数ブロックまでのシフト量で定義され、前記下り制御チャネル信号の時間リソースデータがシンボル数で定義され、前記シフト量と前記シンボル数との組合せを（ｘ、ｙ）として、基本周波数ブロックを組み合わせた基本周波数ブロックのセット毎に（ｘ、ｙ）が定められ、基本周波数ブロックのセット間で共通する（ｘ、ｙ）に対して同一符号が付されており、前記基本周波数ブロックの各セットを構成する基本周波数ブロック数が２、３、４、５であり、全ての（ｘ、ｙ）に対する符号が３ビットに固定されていることを特徴とする無線通信装置。
【請求項４】
下り共有チャネル信号に割当てた基本周波数ブロックのキャリアインジケータを、当該下り共有チャネル信号に対する下り制御チャネル信号に割当てた時間リソースデータと組み合わせて符号化するステップと、
前記下り共有チャネル信号に対する下り制御チャネル信号として前記符号化されたキャリアインジケータを含んだ下り制御チャネル信号を生成するステップと、
生成された前記下り制御チャネル信号を当該下り制御チャネル信号に割当てられた基本周波数ブロックで送信するステップと、
を具備し、
前記キャリアインジケータが、前記下り制御チャネル信号に割当てた基本周波数ブロックから前記下り共有チャネル信号に割当てた基本周波数ブロックまでのシフト量で定義され、前記下り制御チャネル信号の時間リソースデータがシンボル数で定義され、前記シフト量と前記シンボル数との組合せを（ｘ、ｙ）として、基本周波数ブロックを組み合わせた基本周波数ブロックのセット毎に（ｘ、ｙ）が定められ、基本周波数ブロックのセット間で共通する（ｘ、ｙ）に対して同一符号が付された符号化テーブルを用いて、前記符号化するステップは前記キャリアインジケータを前記時間リソースデータと組み合わせて符号化し、
前記符号化テーブルは、前記基本周波数ブロックの各セットを構成する基本周波数ブロック数が２、３、４、５であり、全ての（ｘ、ｙ）に対する符号が３ビットに固定されていることを特徴とする無線通信制御方法。
【請求項５】
複数の基本周波数ブロックを受信するステップと、
受信基本周波数ブロックから下り制御チャネル信号を復号してキャリアインジケータを取り出すと共に、前記キャリアインジケータと共にジョイント符号化されている時間リソースデータを復号するステップと、
前記キャリアインジケータによって指示された受信基本周波数ブロックから、前記下り制御チャネル信号に対応した下り共有チャネル信号を、前記下り制御チャネル信号及び前記時間リソースデータを用いて復号するステップと、
を具備し、
前記復号するステップは、送信機において前記キャリアインジケータと前記時間リソースデータのジョイント符号化に用いられた符号化テーブルと同じ符号化テーブルを用いて前記キャリアインジケータと共にジョイント符号化されている時間リソースデータを復号し、
前記符号化テーブルは、前記キャリアインジケータが、前記下り制御チャネル信号に割当てた基本周波数ブロックから前記下り共有チャネル信号に割当てた基本周波数ブロックまでのシフト量で定義され、前記下り制御チャネル信号の時間リソースデータがシンボル数で定義され、前記シフト量と前記シンボル数との組合せを（ｘ、ｙ）として、基本周波数ブロックを組み合わせた基本周波数ブロックのセット毎に（ｘ、ｙ）が定められ、基本周波数ブロックのセット間で共通する（ｘ、ｙ）に対して同一符号が付されており、前記基本周波数ブロックの各セットを構成する基本周波数ブロック数が２、３、４、５であり、全ての（ｘ、ｙ）に対する符号が３ビットに固定されていることを特徴とする無線通信制御方法。
【発明の詳細な説明】
【技術分野】
【０００１】
本発明は、複数の基本周波数ブロック（以下、「コンポーネントキャリア」という）に分割されたシステム帯域において、複数のコンポーネントキャリアを用いて信号を伝送する無線通信制御方法関し、特に下りリンクの信号を生成する基地局装置及び基地局装置から下りリンクの信号を受信する移動端末装置に関する。
【背景技術】
【０００２】
Ｗ−ＣＤＭＡ（Wideband  Code  Division  Multiple  Access）やＨＳＤＰＡ(High  Speed  Downlink  Packet  Access)の後継となる通信方式、すなわちロングタームエボリューション（ＬＴＥ：Long  Term  Evolution）が、Ｗ−ＣＤＭＡの標準化団体３ＧＰＰにより定められ、無線アクセス方式として、下りリンクについてはＯＦＤＭＡ（Orthogonal  Frequency  Division  Multiple  Access）、上りリンクについてはＳＣ−ＦＤＭＡ（Single-Carrier  Frequency  Division  Multiple  Access）が採用された。
【０００３】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
ＬＴＥでは、上りリンク、下りリンクともに１つないし２つ以上の物理チャネルを複数の移動局（ＵＥ：User  Equipment）で共有して通信を行うシステムである。上記複数の移動局ＵＥで共有されるチャネルは、一般に共有チャネルと呼ばれ、ＬＴＥにおいては、上りリンクにおいてはPUSCH（physical  uplink  shared  channel）であり、下りリンクにおいてはPDSCH（Physical  Downlink  Shared  Channel）である。
【０００６】
そして、上述したような共有チャネルを用いた通信システムにおいては、送信時間単位であるサブフレーム（Ｓｕｂｆｒａｍｅ）毎に、どの移動局UEに対して上記共有チャネルを割り当てるかをシグナリングする必要がある。サブフレームは、送信時間間隔（TTI）と呼ばれてもよい。
【０００７】
ＬＴＥでは、上記シグナリングのために用いられる下りリンク制御チャネルとして、PDCCH（Physical  Downlink  Control  Channel）が定められており、さらにPDCCHに用いられるＯＦＤＭシンボル数を通知する制御チャネルとしてPCFICH  (Physical  Control  Format  Indicator  Channel)、PUSCHに対するハイブリッドＡＲＱのＡＣＫもしくはＮＡＣＫ情報を伝送する制御チャネルとしてPHICH（Physical  Hybrid-ARQ  Indicator  Channel)が定められている。
【０００８】
PDCCHで送信される下りリンク制御情報には、例えば、Downlink  Scheduling  Information、UL  Scheduling  Grant、Overload  Indicator、Transmission  Power  Control  Command  Bitが含まれる（非特許文献１）。また、上記Downlink  Scheduling  Informationには、例えば、下りリンクのリソースブロック（Resource  Block）の割り当て情報、ＵＥのＩＤ、ストリームの数、プリコーディングベクトル（Precoding  Vector）に関する情報、データサイズ、変調方式、HARQ（Hybrid  Automatic  Repeat  reQuest）に関する情報が含まれる。また、上記Uplink  Scheduling  Grantには、例えば、上りリンクのResource  Blockの割り当て情報、ＵＥのＩＤ、データサイズ、変調方式、上りリンクの送信電力情報、Demodulation  Reference  Signalの情報が含まれる。
【０００９】
上記PCFICHは、PDCCHのフォーマットを通知する情報であり、具体的には、このPCFICHにより、PDCCHがマッピングされるＯＦＤＭシンボルの数が制御チャネルフォーマット情報（ＣＦＩ：Control  channel  Format  Indicator）として通知される。ＬＴＥにおいては、PDCCHがマッピングされるＯＦＤＭシンボルの数は１、２、３のいずれかであり、また、PDCCHは、１サブフレームにおいて、先頭のＯＦＤＭシンボルからマッピングされる（非特許文献２）。
【００１０】
下りリンクにおいて、サブフレームの先頭からPCFICHで通知されたＯＦＤＭシンボル数（ＣＦＩ値）に対応した範囲が、PDCCHに割り当てられた制御チャネル領域となる。移動局は、制御チャネル領域を復号して自分宛の情報があれば、さらに下りリンク制御情報に基づいてPDSCHに割り当てられた無線リソースを特定して復号する。
【先行技術文献】
【非特許文献】
【００１１】
【非特許文献１】R1-070103,  Downlink  L1/L2  Control  Signaling  Channel  Structure:Coding
【非特許文献２】3GPP  TR  36.211  (V0.2.1),  “Physical  Channels  and  Modulation,”November  2006
【発明の概要】
【発明が解決しようとする課題】
【００１２】
ところが、制御チャネル領域に割当てられた無線リソースの品質によっては、PCFICHの誤りが発生する可能性がある。PCFICHで通知された制御チャネル領域の割当て情報が誤った場合にはPDSCHを正しく復号できないため、再送要求を繰り返す問題が生じる。
【００１３】
本発明は、かかる点に鑑みてなされたものであり、下り制御チャネル信号に割当てた時間リソースデータ（ＣＦＩで表わされるシンボル数）を下りリンクで通知した際に、通知された時間リソースデータの信頼性で改善でき、無駄な再送要求の繰り返しを防止できる無線通信制御方法、移動端末装置及び基地局装置を提供することを目的とする。
【課題を解決するための手段】
【００１４】
本発明の一つの側面では、下り共有チャネル信号に割当てた基本周波数ブロックのキャリアインジケータを、当該下り共有チャネル信号に対する下り制御チャネル信号に割当てた時間リソースデータと組み合わせて符号化する符号化部と、前記下り共有チャネル信号に対する下り制御チャネル信号として前記符号化されたキャリアインジケータを含んだ下り制御チャネル信号を生成する制御チャネル信号生成部と、生成された前記下り制御チャネル信号を当該下り制御チャネル信号に割当てられた基本周波数ブロックで送信する送信部とを具備し、前記キャリアインジケータが、前記下り制御チャネル信号に割当てた基本周波数ブロックから前記下り共有チャネル信号に割当てた基本周波数ブロックまでのシフト量で定義され、前記下り制御チャネル信号の時間リソースデータがシンボル数で定義され、前記シフト量と前記シンボル数との組合せを（ｘ、ｙ）として、基本周波数ブロックを組み合わせた基本周波数ブロックのセット毎に（ｘ、ｙ）が定められ、基本周波数ブロックのセット間で共通する（ｘ、ｙ）に対して同一符号が付された符号化テーブルを用いて、前記符号化部は前記キャリアインジケータを前記時間リソースデータと組み合わせて符号化し、前記符号化テーブルは、前記基本周波数ブロックの各セットを構成する基本周波数ブロック数が２、３、４、５であり、全ての（ｘ、ｙ）に対する符号が３ビットに固定されていることを特徴とする。
【００１５】
本発明によれば、基本周波数ブロックのキャリアインジケータを、当該下り共有チャネル信号に対する下り制御チャネル信号に割当てた時間リソースデータと組み合わせて符号化して下り制御チャネル信号に含めるので、下り制御チャネル信号に割当てた時間リソースデータを下り共有チャネル信号と異なる基本周波数ブロックで送信可能に拡張した場合であっても、ビット数の増大を抑制することができる。
【発明の効果】
【００１６】
本発明によれば、下り制御チャネル信号に割当てた時間リソースデータを下りリンクで通知した際に、通知された時間リソースデータの信頼性で改善でき、無駄な再送要求の繰り返しを防止できる。
【図面の簡単な説明】
【００１７】
【図１】ＬＴＥ−Ａで定められた階層型帯域幅構成を示す図である。
【図２】下りリンク制御チャネルを送る方法を示す概念図である。
【図３】サブフレームにおける制御チャネル領域とデータ領域との関係を示す図である。
【図４】コンポーネントキャリアとキャリアインジケータとの関係を説明するための図である。
【図５】PDCCHを送るコンポーネントキャリアとキャリアインジケータの関係を説明するための図である。
【図６】キャリアインジケータの種類とビット数との対応表を示す図である。
【図７】ＤＣＩのフィールド構成を示す図である。
【図８】ジョイント符号化テーブルの構成図である。
【図９】キャリアインジケータフィールドのビット数を固定化したジョイント符号化テーブルの構成図である。
【図１０】ＣＦＩ値の通知可能範囲を示す図である。
【図１１】ユーザによって定義されるコンポーネントキャリアが異なる場合のシフト量を例示した図である。
【図１２】実施例に係る移動通信システムの全体図である。
【図１３】実施例に係る基地局の概略的な構成図である。
【図１４】実施例に係る基地局が有するベースバンド信号処理部の機能ブロック図である。
【図１５】実施例に係る基地局のベースバンド信号処理部における送信処理部の機能ブロック図である。
【図１６】実施例に係る移動局の概略的な構成図である。
【図１７】実施例に係る移動局が有するベースバンド信号処理部の機能ブロック図である。
【図１８】シフト量がCC  shift＝０以外でＣＦＩ値を通知可能な４ビット固定化したテーブル構成図である。
【図１９】シフト量がCC  shift＝０でもＣＦＩ値を通知可能な４ビット固定化したテーブル構成図である。
【図２０】シフト量がCC  shift＝０でもＣＦＩ値を一部だけ通知可能な３ビット固定化したテーブル構成図である。
【図２１】２ビット固定化したテーブル構成図である。
【発明を実施するための形態】
【００１８】
本発明は、基地局eNBから移動局ＵＥに対して、下り共有チャネル信号とその下り共有チャネル信号に対応した下り制御チャネル信号とを送信すると共に、下り制御チャネル信号に割当てた時間リソースを示す時間リソースデータ（シンボル数で表わされるＣＦＩ値）を通知し、移動局ＵＥにおいてＣＦＩ値に基づいて下り共有チャネル信号の開始位置から復号する通信システムにおいて、下り制御チャネル信号に割り当てられた時間リソースデータを、上記下り共有チャネル信号に割当てられたコンポーネントキャリアを表すキャリアインジケータと組み合わせてジョイント符号化し、ジョイント符号化されたキャリアインジケータを下りリンクで通知する。
【００１９】
以下、キャリアインジケータとＣＦＩ値とをジョイント符号化する通信システムについて詳しく説明する。
図１は、ＬＴＥ−Ａで定められた階層型帯域幅構成を示す図である。図１に示す例は、複数の基本周波数ブロックで構成される第１システム帯域を持つ第１移動通信システムであるＬＴＥ−Ａシステムと、一つの基本周波数ブロックで構成される第２システム帯域を持つ第２移動通信システムであるＬＴＥシステムと、が併存する場合の階層型帯域幅構成である。ＬＴＥ−Ａシステムにおいては、例えば、１００ＭＨｚ以下の可変システム帯域幅で無線通信し、ＬＴＥシステムにおいては、２０ＭＨｚ以下の可変システム帯域幅で無線通信する。ＬＴＥ−Ａシステムのシステム帯域は、ＬＴＥシステムのシステム帯域を一単位とする少なくとも一つの基本周波数ブロックとなっている。ＬＴＥ−Ａでは基本周波数ブロックをコンポーネントキャリア（ＣＣ）と呼ぶ。このように複数のコンポーネントキャリアを結合して広帯域化することをキャリアアグリゲーションという。
【００２０】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末装置ＵＥ（User  Equipment）＃１は、ＬＴＥ−Ａシステム対応（ＬＴＥシステムにも対応）の移動端末装置であり、１００ＭＨｚまでのシステム帯域に対応可能である。ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）までのシステム帯域に対応可能である。ＵＥ＃３は、ＬＴＥシステム対応（ＬＴＥ−Ａシステムには対応せず）の移動端末装置であり、２０ＭＨｚ（ベース帯域）までのシステム帯域に対応可能である。
【００２１】
このように広帯域化されたシステム帯域での無線通信において、トラヒックチャネル（PDSCH受信、PUSCH送信）に必要な情報を通知する下りリンク制御チャネルを送る方法として、図２（Ａ）（Ｂ）に示す２つの方法が考えられる。図２（Ａ）に示す方法では、PDSCHとそのPDSCHに対するPDCCHとが同じコンポーネントキャリアで送られる。具体的には、PDSCH-1がコンポーネントキャリアＣＣ＃１に割り当てられ、PDSCH-２が異なるコンポーネントキャリアＣＣ＃２に割り当てられている。PDSCH-1を復号するための制御情報等であるPDCCH-1はPDSCH-1と同じコンポーネントキャリアＣＣ＃１で送られ、PDSCH-2を復号するための制御情報等であるPDCCH-2はPDSCH-2と同じコンポーネントキャリアＣＣ＃２で送られる。ユーザ端末は、PDCCHを復号してPDSCHの制御情報を取得し、その制御情報にしたがってPDSCHを復号する。
【００２２】
図２（Ｂ）に示す方法では、PDSCHとそのPDSCHに対するPDCCHが異なるコンポーネントキャリアで送られる。具体的には、図２（Ａ）と同様に、PDSCH-1がコンポーネントキャリアＣＣ＃１に割り当てられ、PDSCH-２が異なるコンポーネントキャリアＣＣ＃２に割り当てられているが、PDSCH-2を復号するための制御情報等であるPDCCH-2の通知方法が図２（Ａ）の方法と異なる。すなわち、PDCCH-2は、当該PDCCH-2の制御情報を必要とするPDSCH-2が送られる本来のコンポーネントキャリアとは異なるコンポーネントキャリアＣＣ＃１で送られる。
【００２３】
本発明者は、キャリアアグリゲーションによってシステム帯域が広帯域化されるＬＴＥ−Ａシステムで、PDCCH-2が、当該PDCCH-2の制御情報を用いて復号するPDSCH-2に割り当てられた本来のコンポーネントキャリアＣＣ＃２とは異なるコンポーネントキャリアＣＣ＃１に割り当てられる場合（図２（Ｂ)）、PDCCH-2が誤りなく復号されたとしても、本来のコンポーネントキャリア（ＣＣ＃２）で送られるPDSCH-2が正しく復号されない可能性がある点について着目した。
【００２４】
以下、具体的に説明する。ＬＴＥ／ＬＴＥ-Ａシステムにおいて、下り物理リンク制御信号として送信する情報には、制御チャネルフォーマット情報（ＣＦＩ：Control  channel  Format  Indicator）、上りリンク共有チャネル(PUSCH)送信データに対するACK/NACK情報、上り／下りリンク共有チャネルのリソース割り当て情報（ＤＣＩ：Downlink  Control  Information）を含むことができる。ＤＣＩは、主に無線リソース割り当て情報を含むが、送信電力制御コマンド等の無線リソース以外の制御情報を含むことができる。そのため、ＤＣＩは下りリンク制御情報と言っても良い。下りリンク制御情報は、PCFICH  (Physical  Control  Format  Indicator  Channel)、PHICH  (Physical  Hybrid  ARQ  Indicator  Channel)、PDCCHにより送信される。これらの制御信号はPDSCHと時間多重する形で各サブフレームにおける第１スロットの先頭ｎOFDMシンボルで通知される。サブフレームはユーザデータ送信時の送信時間単位である。
【００２５】
PCFICHは、１OFDMシンボルにおいてPDCCHが割り当てられるOFDMシンボル数（ｎ）を２ビットのＣＦＩ値で通知する。ＣＦＩ値で指示された領域に、PCFICH、PHICH、PDCCHの信号が配置される。各サブフレームにおいてＣＦＩ値で指示された領域を、制御チャネル領域といい、各サブフレームにおいてPDSCHの信号（主にユーザデータであるが、一部の制御信号を含むことができる）が配置される領域を、データ領域ということができる。図３に制御チャネル領域とデータ領域との関係が例示されている。サブフレーム＃１はＣＦＩ＝１が通知される場合であって、第1スロットの先頭１OFDMシンボルに制御チャネル領域が多重され、サブフレームの第1スロットの先頭から第２OFDMシンボル目からデータ領域が開始している。すなわち、サブフレーム毎に通知されるＣＦＩ値が、各サブフレームにおける制御チャネル領域とデータ領域との境界を示すことになる。
【００２６】
図２（Ｂ)に示されるPDCCHの通知方法の場合、PDSCH-2と同じコンポーネントキャリア（ＣＣ＃２）で送られたPCFICHが誤っていた場合、そのPCFICHにより通知されるＣＦＩ値で示されたPDSCH-2開始位置が誤る。その結果、PDSCH-2が正しく復号されない現象が生じる。特に、本来のコンポーネントキャリア（PDSCHの送信に用いられたコンポーネントキャリア）と異なるコンポーネントキャリアを用いて送信されたPDCCH-2が誤りなく復号された場合は、PDSCH-2について復号の失敗と再送要求とを繰り返すこととなり、大きなスループットの劣化が生じる。ここで，PDCCH-2で送信した場合、ＣＦＩ値によってPDCCH-2の配置が異なるため、PDCCH-2が正しく復号される確率は非常に小さい。したがって、このような現象はPDCCHとPDSCHを送信するコンポーネントキャリアが異なる場合に発生する。
【００２７】
そこで、PDSCH-2とPDCCH-2とが異なるコンポーネントキャリアで送られる場合（例えば、図２（Ｂ）に示されるケース）、PDCCH-2に関するＣＦＩ値を、コンポーネントキャリア（ＣＣ＃２）で送られるPCFICHと並列に又はPCFICHの代わりに、コンポーネントキャリア（ＣＣ＃１）で送られるPDCCH-１に含めて送信する方法を提案する。
【００２８】
ここで、PDSCHが本来のコンポーネントキャリアで送られるが、そのPDSCHを復号するための制御情報を通知するPDCCHが異なるコンポーネントキャリアで送られる場合を想定する。この場合、PDCCHが本来のコンポーネントキャリアとは異なるコンポーネントキャリアで送られる。そのため、受信機において、複数のコンポーネントキャリアの各制御チャネル領域から復号されるPDCCHがいずれのコンポーネントキャリアで送られているPDSCHに対する制御情報であるかを判別する必要がある。このための１つの対策として、キャリアインジケータによってPDCCHの本来のコンポーネントキャリアを明示する仕組みが提案されている。
【００２９】
図４及び図５を参照してキャリアインジケータの定義とキャリアインジケータの送信に必要なビット数について説明する。図４にはキャリアインジケータをコンポーネントキャリアのシフト量（CC  shift）で定義する例が示されている。
【００３０】
図４（Ａ）に示されるように、PDSCHとそのPDSCHに対するPDCCHとが同一のコンポーネントキャリアで送られる場合は、コンポーネントキャリアのシフト量をCC  shift＝０と定義し、PDCCHが本来のコンポーネントキャリア（当該PDCCHに対応したPDSCHの送信に用いられたコンポーネントキャリア）から周波数軸方向に１ＣＣだけずれたコンポーネントキャリアで送られる場合は、コンポーネントキャリアのシフト量をCC  shift＝＋１と定義する。なお、本来のコンポーネントキャリアが周波数領域で第１の方向（図４中右方向）にずれていれば「＋」、逆に周波数領域で第１の方向とは反対方向である第２の方向（図４中左方向）にずれていれば「−」としている。２つのコンポーネントキャリア間でのシフト量であれば、コンポーネントキャリアのシフト量は、CC  shift＝０又は＋１で表すことができ、１ビットで表現できる。
【００３１】
図４（Ｂ）に示されるように、PDCCHが本来のコンポーネントキャリアから第２の方向に１ＣＣだけずれている場合、CC  shift＝−１と定義する。３つのコンポーネントキャリア間でのシフトであれば、コンポーネントキャリアのシフト量は、CC  shift＝０、＋１、−１で表すことができ、２ビットで表現できる。
【００３２】
図４（Ｃ）に示されるように、PDCCHが本来のコンポーネントキャリアから第１の方向に最大で２ＣＣだけずれている場合、コンポーネントキャリアのシフト量をCC  shift＝＋２と定義する。４つのコンポーネントキャリア間でのシフトであれば、コンポーネントキャリアのシフト量は、CC  shift＝０、＋１、−１、＋２で表すことができ、２ビットで表現できる。
【００３３】
図４（Ｄ）に示されるように、PDCCHが本来のコンポーネントキャリアから第２の方向に最大で２ＣＣだけずれている場合、コンポーネントキャリアのシフト量をCC  shift＝−２と定義する。５つのコンポーネントキャリア間でのシフトであれば、コンポーネントキャリアのシフト量は、CC  shift＝０、＋１、−１、＋２、−２で表すことができ、３ビットで表現できる。
【００３４】
最大で５コンポーネントキャリアまで対応するためには、キャリアインジケータに、CC  shift＝０、＋１、−１、＋２、−２の５種類を設定可能なビット幅（３ビット）を確保する必要がある。
図４（Ｂ）に示される例では、３つのコンポーネントキャリアの中央に配置されたコンポーネントキャリアでPDCCHを送っているが、本発明はこのようなケースに限定されない。図５（Ａ）に示すように、PDCCHを送るコンポーネントキャリアを左端のＣＣ＃０とすれば、CC  shiftは（０，＋１，＋２）となり、PDCCHを送るコンポーネントキャリアを中央のＣＣ＃１とすれば、CC  shiftは（０，＋１、−１）となり、PDCCHを送るコンポーネントキャリアを右端のＣＣ＃２とすれば、CC  shiftは（０、  −２，−１）となる。このように、コンポーネントキャリアセットが３つの場合、CC  shiftは(0,  +1,  +2),  (0,  +1,  -1),  (0,  -2,  -1)の3種類がある。ただし、コンポーネントキャリア構成をサイクリックとすると（CC#3はCC#0を意味し、CC#(-1)はCC#2を意味する）、上記のとおり(0,  +1,  -1)のみで対応可能ということになる。以下、CC  shiftが(0,  +1,  -1)の場合を例に説明する。
【００３５】
図６はコンポーネントキャリアセットに対応してそれぞれ必要なキャリアインジケータ（シフト量）の種類と、全てのキャリアインジケータを表現するために必要なビット数との対応表である。例えば、コンポーネントキャリアセットが３の場合、CC  shift＝０、＋１、−１を表現できれば良いので、２ビットで対応可能である。一方、コンポーネントキャリアセットが５の場合、CC  shift＝０、＋１、−１、＋２、−２の５種類を表現できなければならないので、３ビット必要である。
【００３６】
本発明の一つの側面では、PDCCHにより通知されるＤＣＩにキャリアインジケータが含まれ、そのキャリアインジケータとＣＦＩ値とがジョイント符号化されることを特徴とする。
【００３７】
図７（Ａ）（Ｂ）はＤＣＩのフィールド構成を示している。同図（Ａ）はＬＴＥシステム（release-８）で定義されているＤＣＩ構成が示されている。ＬＴＥシステム（release-８）で定義されているＤＣＩ構成は、端末毎のリソース割当情報(Resource  block  assignment)、割り当てたリソースブロックのＭＣＳ情報(Modulation  and  Coding  Scheme)、もしくは，トラスポートブロック情報、端末側で生じた受信データ誤りを高効率，低遅延で訂正するために用いる，ハイブリッドARQを用いる際に必要な情報，具体的には初回送信と再送パケットを合成する際に対応するメモリ番号、すなわちHARQプロセス番号（HARQ  process  number）、新規データか再送データかを区別する識別子（New  data  indicator）、符号化系列のどの部分を送っているかを示す情報（Redundancy  version）、PUCCHの送信電力制御コマンド（TPC  for  PUCCH)を備えて構成されている。
【００３８】
図７（Ｂ）に示すＤＣＩ構成では、ＬＴＥシステム（release-８）で定義されているＤＣＩフィールド構成に追加して、キャリアインジケータフィールド（ＣＩ）が設けられている。キャリアインジケータフィールド（ＣＩ）は、PDCCHに割当てたコンポーネントキャリアから、そのPDCCHに対応したPDSCHに割り当てられた本来のコンポーネントキャリアまでのシフト量（CC  shift）が設定される。キャリアインジケータフィールド（ＣＩ）は、図６に示されるように、４コンポーネントキャリアまでのシステム帯域に対応するのであれば２ビットで良いが、５コンポーネントキャリアまでのシステム帯域に対応するのであれば３ビット必要である。たとえば、キャリアインジケータフィールド（ＣＩ）が２ビットであれば、（００）〜（１１）までの４種類のシフト量（CC  shift＝０、＋１、−１、＋２）を通知でき、３ビットであれば、（０００）〜（１１１）までの８種類のシフト量まで通知できる。
【００３９】
本発明の一側面は、キャリアインジケータが取り得る値（例えば、５ＣＣであれば０、＋１、−１、＋２、−２）と、ＣＦＩ値が取り得る値（例えば、１，２，３）との組み合わせを所定ビット幅のビット符号で表わしたテーブル（ジョイント符号化テーブル）を用意し、キャリアインジケータとＣＦＩ値との組み合わせに対応したビット番号を、キャリアインジケータフィールド（ＣＩ）に設定する。
【００４０】
これにより、ＣＦＩ値のための専用フィールドをＤＣＩ構成に設ける場合に比べて、ビット数の増大を抑制しつつ、ＣＦＩ値を、本来のコンポーネントキャリアとは異なるコンポーネントキャリアでPDCCHと共に送信することができる。
【００４１】
図８はキャリアインジケータとＣＦＩ値のジョイント符号化テーブルを示している。同図では、コンポーネントキャリアセットの最大値は５、ＣＦＩ値は１，２，３のいずれかでるとして、コンポーネントキャリアとＣＦＩ値の全ての組み合わせをジョイント符号化している。キャリアインジケータとＣＦＩ値との各組み合わせを（ｘ、ｙ）とし、ｘがキャリアインジケータ（CC  shift）を表し、ｙがＣＦＩ値(CFI  value)を表している。フィールド幅を４ビットにすれば図８に示す全ての組み合わせを正しく送信することができる。図７（Ｂ）に示されるＤＣＩ構成は、キャリアインジケータフィールドのフィールド幅が３ビットの例が示されている。
【００４２】
また、シフト量がCC  shift＝０となる場合は、PDCCHが本来のコンポーネントキャリアで送られる場合であるので、本来のコンポーネントキャリアとは別のコンポーネントキャリアを用いてＣＦＩ値を通知しないこととしても良い。したがって、ジョイント符号化テーブルにおいて、CC  shift＝０であればＣＦＩ値を通知していないことと等価である。
【００４３】
図８の最下欄に示されるように、キャリアインジケータとＣＦＩ値（１，２，３）とを組み合わせてジョイント符号化したとしても、キャリアインジケータだけの場合に比べて１ビット（コンポーネントキャリアセット２，３，５）又は２ビット（コンポーネントキャリアセット４）の追加で済むことになる。すなわち、データ容量の増大に繋がる大幅なビット追加を伴わずに、ＣＦＩ値をPDCCHのＤＣＩ構造に含めることができる。
【００４４】
また、図８に示されるキャリアインジケータとＣＦＩ値とのジョイント符号化では、コンポーネントキャリアセットに応じてキャリアインジケータフィールド（ＣＩ）の必要ビット数が変化する。コンポーネントキャリアセット２，３に関しては３ビットで対応可能であるが、コンポーネントキャリアセット４，５に関しては４ビット必要である。コンポーネントキャリアセット２，３に関しても４ビットでジョイント符号化することは可能である。
【００４５】
本発明の別の側面は、キャリアインジケータフィールド（ＣＩ）のビット数を固定化し、一部の所望コンポーネントキャリア以外は単に割当てのみ通知し、キャリアインジケータフィールドを用いたＣＦＩ値の通知が不可の場合はPCFICHで通知されたＣＦＩ値を用いるようにする。PDCCHが送られるコンポーネントキャリアと本来のコンポーネントキャリアとが隣接関係（シフト量がCC  shift＝＋１、−１）となるケースに対して優先的にＣＦＩ値を通知可能にしても良いし、（シフト量がCC  shift＝＋１、＋２）となるケースに対して優先的にＣＦＩ値を通知可能にしても良い。
【００４６】
図９はキャリアインジケータフィールド（ＣＩ）のビット数を固定した場合のキャリアインジケータとＣＦＩ値とのジョイント符号化テーブルを示している。コンポーネントキャリアセットの最大値は５、ＣＦＩ値は１，２，３のいずれかとし、コンポーネントキャリアとＣＦＩ値とをジョイント符号化している。キャリアインジケータフィールド（ＣＩ）のビット数は３ビットに固定されている。
【００４７】
同図において、ＣＦＩ値（ｙ）について１／２／３との標記は、ＣＦＩ値が１，２，３のいずれかであることを示す。キャリアインジケータフィールド（ＣＩ）のビット数が３ビットに固定されたので、コンポーネントキャリアセット４，５においてＣＦＩ値を通知不可能な部分が生じている。ＣＦＩ値（ｙ）が１／３、１／２／３となっている部分はＣＦＩ値を通知不可能である。
【００４８】
コンポーネントキャリアセットが２又は３の場合、キャリアインジケータとＣＦＩ値の全ての組み合わせは３ビットで表現できる。図９に示すジョイント符号化テーブルでは、コンポーネントキャリアセットが４の場合、PDCCHが送られるコンポーネントキャリアからPDSCHが送られる本来のコンポーネントキャリアまで２コンポーネントキャリア離れている（CC  shift＝＋２）場合だけ、ＣＦＩ値が１／２／３になっている。すなわち、シフト量がCC  shift＝＋２となる場合だけ、ＣＦＩ値を通知できないが、その他のシフト量であればＣＦＩ値を通知できる。言い換えれば、PDSCHが送られる本来のコンポーネントキャリアとそのPDCCHが送られるコンポーネントキャリアとが隣接しているケース（CC  shift＝＋１、−１）まではＣＦＩ値を通知可能にしている。
【００４９】
さらに、コンポーネントキャリアセットが５の場合、シフト量がCC  shift＝＋１、−１、＋２、−２となる場合に、ＣＦＩ値１，２，３のいずれか１つだけ(図８ではＣＦＩ＝２）を通知可能にしている。シフト量がCC  shift＝＋１、−１、＋２となる場合は、受信機において、キャリアインジケータとジョイント符号化されて送られてきたＣＦＩ値と、PCFICHから得られたＣＦＩ値とをクロスチェックし、PCFICHから得られたＣＦＩ値が１又は３であれば、PCFICHから得られたＣＦＩ値に誤りが無いと判断しても良い。
【００５０】
図１０はＣＦＩ値を通知可能又は通知不可能なコンポーネントキャリアを示した図である。図９に示されるジョイント符号化テーブルにしたがってＣＦＩ値の通知可能又は通知不可能が定められている。コンポーネントキャリアセットが２，３，４の場合、PDSCHが送られる本来のコンポーネントキャリアとそのPDCCHが送られるコンポーネントキャリアとが隣接している範囲では、ＣＦＩ値を通知可能である。コンポーネントキャリアセットが５になると、隣接コンポーネントキャリアであってもＣＦＩ値を送れないケースが生じている。
【００５１】
なお、本明細書において隣接するコンポーンネトキャリアといった場合、図１０に示されるように２つのコンポーネントキャリアが直接接する配置関係だけでなく、周波数軸方向に離間した位置に配置されている２つのコンポーネントキャリアの配置関係を含む。複数のコンポーネントキャリアの配列順番が一意に決まるのであれば、配列順番が隣接している２つのコンポーネントキャリアは、周波数軸方向に離間した位置に配置されているとしても隣接するコンポーンネトキャリアということができる。また、ユーザによって定義されるコンポーネントキャリアが異なってもよい。具体的には図１１（Ａ）に示すように、システムのＣＣ数が５であった場合においても、図１１（Ｂ）（Ｃ）に示すようにユーザ＃１，＃２はそれぞれ異なるＣＣを受信するように上位レイヤ信号で通知された場合、この例では、ユーザ＃１、＃２ともにＣＣ数は２として動作する。
【００５２】
このように、キャリアインジケータフィールド（ＣＩ）のビット数を固定することで、受信機の処理負担を軽減することができる。また、コンポーネントキャリアセットが４までは、隣接コンポーンネトキャリアまでＣＦＩ値を通知することができる。
【００５３】
以下、本発明の実施の形態について、添付図面を参照して詳細に説明する。ここでは、ＬＴＥ−Ａシステムに対応する基地局及び移動局を用いる場合について説明する。
【００５４】
図１２を参照しながら、本発明の実施例に係る移動局（ＵＥ）１０及び基地局（Ｎｏｄｅ  Ｂ）２０を有する移動通信システム１について説明する。図１２は、本実施例に係る移動局１０及び基地局２０及びを有する移動通信システム１の構成を説明するための図である。なお、図１２に示す移動通信システム１は、例えば、ＬＴＥシステム或いは、ＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００５５】
図１２に示すように、移動通信システム１は、基地局２０と、この基地局２０と通信する複数の移動局１０（１０１、１０２、１０３、・・・１０ｎ、ｎはｎ＞０の整数）とを含んで構成されている。基地局２０は、上位局装置３０と接続され、この上位局装置３０は、コアネットワーク４０と接続される。移動局１０は、セル５０において基地局２０と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００５６】
各移動局（１０１、１０２、１０３、・・・１０ｎ）は、同一の構成、機能、状態を有するので、以下においては、特段の断りがない限り移動局１０として説明を進める。また、説明の便宜上、基地局２０と無線通信するのは移動局１０であるものとして説明するが、より一般的には移動局も固定端末装置も含むユーザ装置（User  Equipment）でよい。
【００５７】
移動通信システム１においては、無線アクセス方式として、下りリンクについてはＯＦＤＭＡが、上りリンクについてはＳＣ−ＦＤＭＡが適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５８】
ここで、ＬＴＥシステムにおける通信チャネルについて説明する。下り物理チャネルについては、各移動局１０で共有されるPDSCHと、下りリンク制御チャネル（PDCCH、PCFICH、PHICH）とが用いられる。下りリンク制御チャネルは下りＬ１／Ｌ２制御チャネルと呼ばれても良い。PDSCHにより、ユーザデータ（上位レイヤの制御信号を含む）、すなわち、通常のデータ信号が伝送される。送信データは、このユーザデータに含まれる。なお、基地局２０で移動局１０に割り当てたコンポーネントキャリアはＲＲＣシグナリングにより移動局１０に通知されても良い。
【００５９】
上りリンクについては、各移動局１０で共有して使用されるPUSCHと上りリンクの制御チャネルであるPUCCHとが用いられる。このPUSCHにより、ユーザデータが伝送される。また、PUCCHにより、ＵＬ  ＡＣＫ／ＮＡＣＫ、下りリンクの無線品質情報（ＣＱＩ:Channel  Quality  Indicator）等が伝送される。
【００６０】
図１３は、本実施例に係る基地局２０の概略的な構成図である。
基地局２０は、送受信アンテナ２０１と、アンプ部２０２と、送受信部２０３と、ベースバンド信号処理部２０４と、呼処理部２０５と、伝送路インターフェース２０６とを備えている。
【００６１】
基地局２０から移動局１０へ下りリンクで送信されるユーザデータは、基地局２０の上位に位置する上位局装置３０から伝送路インターフェース２０６を介してベースバンド信号処理部２０４に入力される。
【００６２】
ベースバンド信号処理部２０４においては、シーケンス番号付与等のPDCPレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、HARQの送信処理、スケジューリング、伝送フォーマット選択、チャネル符号化、逆高速フーリエ変換（ＩＦＦＴ：Inverse  Fast  Fourier  Transform）処理、プリコーディング処理が行われて、送受信部２０３に転送される。また、下り制御チャネル信号に関しても、チャネル符号化や逆高速フーリエ変換等の送信処理が行われて、送受信部２０３に転送される。
【００６３】
ベースバンド信号処理部２０４は、さらに移動局１０に対してセル５０における通信のための制御情報を報知チャネルで通知する。セル５０における通信のための報知情報には、例えば、上りリンク又は下りリンクにおけるシステム帯域幅や、ＰＲＡＣＨにおけるランダムアクセスプリアンブルの信号を生成するためのルート系列の識別情報（Root  Sequence  Index）等が含まれる。
【００６４】
送受信部２０３において、ベースバンド信号処理部２０４から出力されたベースバンド信号を無線周波数帯に変換する周波数変換処理が施され、その後、アンプ部２０２で増幅されて送受信アンテナ２０１より送信される。
【００６５】
一方、基地局２０は、移動局１０が送信した送信波を送受信アンテナ２０１で受信する。送受信アンテナ２０１で受信された無線周波数信号がアンプ部２０２で増幅され、送受信部２０３で周波数変換されてベースバンド信号に変換され、ベースバンド信号処理部２０４に入力される。
【００６６】
ベースバンド信号処理部２０４は、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行い、伝送路インターフェース２０６を介して上位局装置３０へ転送する。
【００６７】
呼処理部２０５は、通信チャネルの設定や解放等の呼処理や、基地局２０の状態管理や、無線リソースの管理を行う。
【００６８】
図１４は、本実施例に係る基地局２０が有するベースバンド信号処理部２０４の機能ブロック図であり、図１５は基地局２０のベースバンド信号処理部２０４における送信処理部の機能ブロックを示している。
【００６９】
受信信号に含まれたリファレンス信号（参照信号）は、同期検出・チャネル推定部２１１及びＣＱＩ測定部２１２に入力される。同期検出・チャネル推定部２１１は、移動局１０から受信したリファレンス信号の受信状態に基づいて上りリンクのチャネル状態を推定する。ＣＱＩ測定部２１２は、移動局１０から受信される品質測定用リファレンス信号からＣＱＩを測定している。
【００７０】
また、ベースバンド信号処理部２０４では、当該受信信号に付加されたサイクリックプレフィックスがＣＰ除去部２１３によって除去された後、高速フーリエ変換部２１４でフーリエ変換されて周波数領域の情報に変換される。周波数領域の情報に変換された受信信号は、サブキャリアデマッピング部２１５にて周波数領域でデマッピングされる。サブキャリアデマッピング部２１５は、移動局１０でのマッピングに対応してデマッピングする。周波数領域等化部２１６は、同期検出・チャネル推定部２１１から与えられるチャネル推定値に基づいて受信信号を等化する。逆離散フーリエ変換部２１７は、受信信号を逆離散フーリエ変換して、周波数領域の信号を時間領域の信号に戻す。そして、データ復調部２１８及びデータ復号部２１９にて、伝送フォーマット（符号化率、変調方式）に基づいて復調、復号されて送信データが再生される。
【００７１】
また、スケジューラ２２０には、同期検出・チャネル推定部２１１で推定されたチャネル推定値、並びに、ＣＱＩ測定部２１２で測定された各リソースブロックのＣＱＩが入力される。スケジューラ２２０は、上位局装置３０から入力された再送指示、チャネル推定値及びＣＱＩを参照しながら、上り／下りリンク制御信号及び上下共有チャネル信号のスケジューリングを行う。移動通信における伝搬路は、周波数選択性フェージングにより周波数ごとに変動が異なる。そこで、移動局へのユーザデータ送信時に、各移動局に対してサブフレーム毎に通信品質の良好なリソースブロックを割り当てる適応周波数スケジューリングが用いられる。適応周波数スケジューリングでは、各リソースブロックに対して伝搬路品質の良好な移動局を選択して割り当てる。そのため、スケジューラ２２０は、各移動局からフィードバックされるリソースブロック毎のＣＱＩを用いてリソースブロックを割り当てる。また、割り当てたリソースブロックで所定のブロック誤り率を満たすＭＣＳ（符号化率、変調方式）を決定する。
【００７２】
ここで、通信開始時又は通信途中で動的に、移動局との間の通信に使用する１つ又は複数のコンポーネントキャリア（ＣＣ＃１〜ＣＣ＃Ｍ）が割り当てられる。本実施例の通信システムでは、最大で５つのコンポーネントキャリアが同時に割り当て可能である。移動局に割り当てられるコンポーネントキャリアの数は、移動局の能力、現在の通信品質、現在のデータ量等の条件に応じて決めることができ、例えばコンポーネントキャリアの割当情報をＲＲＣシグナリングによって移動局へ通知することができる。
【００７３】
スケジューラ２２０は、ユーザ（移動局１０）毎に割り当てられているコンポーネントキャリアを管理する。１ユーザに複数のコンポーネントキャリアが割り当てられていれば、割り当てられたコンポーネントキャリア毎に当該ユーザにデータ送信するためのPDSCHが確保される。また、コンポーネントキャリアに確保されたPDSCHに対応したPDCCHを送るためのコンポーネントキャリアが当該ユーザに割り当てられたコンポーネントキャリア中から選定される。その結果、PDSCHが送られるコンポーネントキャリアとそのPDSCHに対するPDCCHが送られるコンポーネントキャリアとの相対配置関係からキャリアインジケータの数値が決まる。キャリアインジケータは上位レイヤからスケジューラ２２０に指示されても良い。
【００７４】
例えば、ユーザとの間の通信のために２つのコンポーネントキャリアが割り当てられていて（図１０（Ａ））、PDSCHを送信するコンポーネントキャリアに対して隣接するコンポーネントキャリアでPDCCHを送る場合は、キャリアインジケータで表わされるシフト量は＋１となる。
【００７５】
PDCCHに対応したPDSCHの割当てコンポーネントキャリアを特定するためのキャリアインジケータと、当該PDSCHと同一サブフレームにおける制御チャネル領域の割当シンボル数を示すＣＦＩ値とを、制御チャネル生成部２４１＃１〜２４１＃Ｎへ供給する。
【００７６】
下りリンク制御信号のスケジューリングでは、各サブフレームの先頭ＯＦＤＭシンボルから何シンボルまでを制御チャネル領域に割り当てるか決定する。スケジューラ２２０がセル半径、収容ユーザ数等に応じて最適なＯＦＤＭシンボル数（ＣＦＩ値）を決定する。このＣＦＩ値を制御チャネル生成部２４１＃１〜２４１＃Ｎへ通知する。
【００７７】
また、下りリンク制御チャネルであるPDCCHに対してCCE単位でリソースを割り当てる。スケジューラ２２０は、各ユーザ＃１〜＃Nに対するCCE割当数を制御し、符号化率を制御する。セル端にいるユーザのように高符号化率が必要なユーザに対しては割当てCCE数を多くする。また、セル中央のように低符号化率が必要なユーザに対しては割当てCCE数を少なくする。
【００７８】
ベースバンド信号処理部２０４の送信処理系は、本実施例ではＭ個のコンポーネントキャリアＣＣ＃１〜ＣＣ＃Ｍに適応可能に構成されており、各コンポーネントキャリアＣＣ＃１〜ＣＣ＃Ｍに対応してＭ個の下りチャネル信号生成部２２１−１〜２２１−Ｍを備えている。また、最大Ｎユーザ（ユーザ＃１〜＃Ｎ）を収容可能に構成されている。図１４では、本発明に関連する下りチャネルとして、PDSCH、PDCCH、PCFICHを示しているが、実際には他のチャネルも含まれる。
【００７９】
図１５に示されるように、ベースバンド信号処理部２０４の送信処理系は、PDSCHの送信データが一時的に格納される送信バッファ２３１＃１〜２３１＃Ｎ、送信バッファ２３１＃１〜２３１＃Ｎから出力される送信データを所定の符号化方法で符号化する符号化部２３２＃１〜２３２＃Ｎ、符号化された送信データを所定の変調方法で変調する変調部２３３＃１〜２３３＃Ｎを備える。PDSCHの送信データは上位レイヤから与えられる。送信データに対する符号化方法や変調方法の情報（ＭＣＳ）は、スケジューラ２２０から通知される。コンポーネントキャリアＣＣ＃１〜ＣＣ＃Ｍ毎にPDSCHで送信される信号が生成される。
【００８０】
また、ベースバンド信号処理部２０４の送信処理系は、下りリンク制御信号を生成する制御チャネル生成部２４１＃１〜２４１＃Ｎ、生成された下りリンク制御信号を符号化する符号化部２４２＃１〜２４２＃Ｎ、符号化された下りリンク制御信号を変調する変調部２４３＃１〜２４３＃Ｎを備える。制御チャネル生成部２４１＃１〜２４１＃Ｎは、ユーザ毎に決定してスケジューラ２２０から指示されるリソース割り当て情報、ＭＣＳ情報、HARQ用の情報、PUCCHの送信電力制御コマンド等から下りリンク制御信号を生成する。たとえば、制御チャネル生成部２４１＃１において、ユーザ＃１に対してPDCCHで送られる下りリンク制御信号（フィールド構成は図７（Ｂ）に図示）が生成される。このため、スケジューラ２２０から通知されたキャリアインジケータ（PDCCHに対応したPDSCHに割当てられたコンポーネントキャリア）と、ＣＦＩ値（当該PDCCHのスケジューリングで決定）とを、図８又は図９に示すジョイント符号化テーブルを参照してジョイント符号化する。たとえば、図９に示すジョイント符号化テーブルが適用される場合で、コンポーネントキャリアのセットを構成するキャリア数が３の場合（図１０（Ｂ））の一例を説明する。このとき、シフト量が＋１で、ＣＦＩ値が３であれば、「０１１」と符号化される。また、コンポーネントキャリアのセットを構成するキャリア数が４の場合（図１０（Ｃ））、シフト量が＋１で、ＣＦＩ値が３であれば、同じく「０１１」と符号化される。このように、図８又は図９に示すジョイント符号化テーブルを参照して、PDSCHに割り当てらコンポーネントキャリアのキャリアインジケータと、そのPDSCHに対するPDCCHの割当て時間リソースであるＣＦＩ値とをジョイント符号化される。制御チャネル生成部２４１＃１は、図７（Ｂ）に図示されるキャリアインジケータフィールドに、上記ジョイント符号化された符号データを設定する。コンポーネントキャリアＣＣ＃１〜ＣＣ＃Ｍ毎にPDCCHにより通知される下りリンク制御情報が生成され、それぞれキャリアインジケータとＣＦＩ値とをジョイント符号化した符号データが設定される。
【００８１】
PDSCHで送られる送信データは、コンポーネントキャリア毎にユーザ単位で並列に生成されて多重部２３４で多重される。また、PDCCHで送られる下りリンク制御は各コンポーネントキャリア毎にユーザ単位で並列に生成されて多重部２４４で多重される。さらに、下りチャネル多重部２２３が、各コンポーネントキャリアＣＣ＃１〜ＣＣ＃Ｍの多重部２３４，２４４から出力される各チャネル信号を多重（時間、周波数領域及びコード多重を含んでも良い）する。
【００８２】
多重部２２３で多重された下りチャネル信号は、逆高速フーリエ変換部２２４で逆高速フーリエ変換されて周波数領域の信号から時系列の信号に変換された後、サイクリックプレフィックス挿入部２２５でサイクリックプレフィックスが付加される。なお、サイクリックプレフィクスは、マルチパス伝搬遅延の差を吸収するためのガードインターバルとして機能する。サイクリックプレフィックスが付加された送信データは、送受信部２０３に送出される。
【００８３】
図１６は、本実施例に係る移動局１０の概略的な構成図である。
移動局１０は、送受信アンテナ１０１と、アンプ部１０２と、送受信部１０３と、ベースバンド信号処理部１０４と、アプリケーション部１０５とを備えている。信号受信時には、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。一方、送信時には、上りリンクのユーザデータがアプリケーション部１０５からベースバンド信号処理部１０４に入力される。ベースバンド信号処理部１０４においては、再送制御（Ｈ−ＡＲＱ（Hybrid  ARQ））の送信処理や、チャネル符号化、ＤＦＴ処理、ＩＦＦＴ処理等が行われて送受信部１０３に転送される。送受信部１０３においては、ベースバンド信号処理部１０４から出力されたベースバンド信号を無線周波数帯に変換する周波数変換処理が施され、その後、アンプ部１０２で増幅されて送受信アンテナ１０１より送信される。
【００８４】
図１７は、本実施の形態に係る移動局１０が有するベースバンド信号処理部１０４の機能ブロック図であり、受信処理系が示されている。送受信部１０３から出力される受信信号がＣＰ除去部１１１へ入力される。ＣＰ除去部１１１において受信信号からガードインターバルであるサイクリックプレフィックスが除去される。サイクリックプレフィックスが除去された受信信号（OFDM信号）は、高速フーリエ変換部（ＦＦＴ）１１２で高速フーリエ変換されて、時間成分の波形から周波数成分の直交マルチキャリア信号に変換される。下り制御データ受信部１１３において下り制御チャネルの信号が復調される。下り送信データ受信部１１４において、PDCCHの下りリンク制御信号に基づいて、下り共有チャネルの信号が復調される。
【００８５】
移動局１０は複数のコンポーネントキャリアからなるシステム帯域を利用した通信が可能であるものとする。下り制御データ受信部１１３は、受信した全てのコンポーネントキャリアについてサブキャリア単位でPCFICHを復号すると共に、PDCCHをブラインド復号する。PDCCHは、ＤＣＩに付加したＣＲＣ符号が、ユーザ識別子（ＵＥ−ＩＤ）を用いてマスキングされている。下り制御データ受信部１１３では、ユーザ識別子（ＵＥ−ＩＤ）を用いてＣＲＣ符号部のマスキングを解除し、ＣＲＣ符号によりＤＣＩが誤りなく送られてきたかチェックする。その結果、ＤＣＩの誤りがないことを確認できれば、PDCCHが誤りなく受信できたことになる。PDCCHを誤りなく受信できた場合、PDCCHと同一のキャリアコンポーネントで送信されたキャリアインジケータフィールドから得られるＣＦＩ値も誤りなく受信できたことになる。
【００８６】
誤りなく受信できたPDCCHから復調されたＤＣＩ構成にキャリアインジケータフィールドが含まれている。ＤＣＩのキャリアインジケータフィールドからキャリアインジケータを取り出し、図８又は図９に示すジョイント符号化テーブルを参照してキャリアインジケータ及びＣＦＩ値を復号する。移動局１０には、ジョイント符号化テーブルが基地局２０から事前に通知される。ジョイント符号化テーブルはＲＲＣシグナリングによって通知することができるが、その他の通知方法を適用しても良い。基地局２０がキャリアインジケータ及びＣＦＩ値のジョイント符号化に用いたジョイント符号化テーブルと同一のテーブルを用いることで、キャリアインジケータ及びＣＦＩ値を復号することができる。下り制御データ受信部１１３は、PCFICHを復号したＣＦＩ値とキャリアインジケータフィールドから復号したＣＦＩ値とをクロスチェックする。両者が一致していれば、そのＣＦＩ値を用いてPDSCHを復号する。一方、一致しなかった場合にはキャリアインジケータフィールドから復号したＣＦＩ値を用いてPDSCHを復号することが望ましい。キャリアインジケータフィールドは、ＣＲＣ符号によりＤＣＩに誤りがないことが確認されているからである。また、図９に示されるジョイント符号化テーブルにおいてコンポーネントキャリアセットが５の場合、ＣＦＩ値が１又は３のケースが含まれるが、この場合にはPCFICHを復号したＣＦＩ値と一致する数値があれば、その数値をＣＦＩ値としてPDSCHを復号しても良い。ＣＦＩ値が２の場合は、確実にPCFICHが誤っているのでキャリアインジケータから復号化したＣＦＩ値＝１または３のいずれかを選択しても良い。
【００８７】
下り送信データ受信部１１４は、下り制御データ受信部１１３で得られたキャリアインジケータに基づいて本来のキャリアコンポーネントを特定し、特定したキャリアコンポーネントから対応するPDSCHの開始位置をＣＦＩ値に基づいて検出し、PDSCHの開始位置からユーザデータの取得を開始する。
【００８８】
下り共有チャネル(PDSCH)を構成するパケット各々に誤りがあるか否かを判定し、判定結果をＵＬ  ＡＣＫ／ＮＡＣＫとして出力する。ＵＬ  ＡＣＫ／ＮＡＣＫは、PUCCHまたはPUSCHを用いて基地局２０へ通知される。
【００８９】
本発明は上述した実施例に限定されるものではなく、本発明の要旨を逸脱しない範囲で種々変形実施可能である。たとえば、図９には３ビット固定のジョイント符号化テーブルを例示したが、図１８、図１９に示すように４ビット固定のジョイント符号化テーブルを用いることも可能である。
【００９０】
図１８に示されるジョイント符号化テーブルでは、シフト量がCC  shift＝０以外では、ＣＦＩ値を通知可能に構成されている。図１８に示すジョイント符号化テーブルを用いれば、コンポーネントキャリアセットが５の場合も、全てのシフト量に対してＣＦＩ値を通知可能になる。
【００９１】
図１９に示されるジョイント符号化テーブルでは、シフト量がCC  shift＝０の場合も含めて、ＣＦＩ値を通知可能に構成されている。すなわち、CC  shift＝０であっても、ＣＦＩ値が１，２，３の全てをＤＣＩ構成を介して通知可能になっている。複数基地局から同時にデータを送信する場合には、シフト量がCC  shift=0の場所からもＣＦＩを送信できない場合がある。その場合も考慮して，CC  shift  =0の場合についてもCFIを送信できるテーブル構成としている。図１９に示すジョイント符号化テーブルを用いれば、シフト量がCC  shift=0の場所であっても、ＤＣＩ構成にキャリアインジケータとＣＦＩ値とをジョイント符号化したデータを含めることができ、誤りの無いＣＦＩ値を通知できる。
【００９２】
図２０は３ビット固定であるジョイント符号化テーブルの変形例を示している。コンポーネントキャリアセットが２については、CC  shift＝０であっても、ＣＦＩ値が１，２，３の全てを通知可能であり、コンポーネントキャリアセットが３については、CC  shift＝０であっても、ＣＦＩ値が２，３を通知可能である。図２０に示すジョイント符号化テーブルを用いれば、キャリアインジケータの固定化ビット数を３ビットに抑制しつつ、シフト量がCC  shift=0の場所であっても、ＣＦＩ値を通知可能になる。
【００９３】
図２１は２ビット固定であるジョイント符号化テーブルの構成例を示している。２ビット固定とした場合には、コンポーネントキャリアセット＝３の一部と、コンポーネントキャリアセット＝４，５ではＣＦＩ値を通知不能になるが、ビット数を抑えることができる。
【産業上の利用可能性】
【００９４】
本発明は、ＬＴＥ／ＬＴＥシステムにおけるPCFICHの誤り検出に適用可能である。
【符号の説明】
【００９５】
１  移動通信システム
１０  移動局
２０  基地局
３０  上位局装置
４０  コアネットワーク
５０  セル
１０１  送受信アンテナ
１０２  アンプ部
１０３  送受信部
１０４  ベースバンド信号処理部
１０５  アプリケーション部
１１１  ＣＰ除去部
１１２  ＦＦＴ
１１３  下り制御データ受信部
１１４  下り送信データ受信部
２０１  送受信アンテナ
２０２  アンプ部
２０３  送受信部
２０４  ベースバンド信号処理部
２０５  呼処理部
２０６  伝送路インターフェース
２２０  スケジューラ
２２１−１〜２２１−Ｎ  下りチャネル信号生成部
２４１＃１〜２４１＃Ｎ  制御チャネル生成部
【図１】
0005396238.tif 000002
【図２】
0005396238.tif 000003
【図３】
0005396238.tif 000004
【図４】
0005396238.tif 000005
【図５】
0005396238.tif 000006
【図６】
0005396238.tif 000007
【図７】
0005396238.tif 000008
【図８】
0005396238.tif 000009
【図９】
0005396238.tif 000010
【図１０】
0005396238.tif 000011
【図１１】
0005396238.tif 000012
【図１２】
0005396238.tif 000013
【図１３】
0005396238.tif 000014
【図１４】
0005396238.tif 000015
【図１５】
0005396238.tif 000016
【図１６】
0005396238.tif 000017
【図１７】
0005396238.tif 000018
【図１８】
0005396238.tif 000019
【図１９】
0005396238.tif 000020
【図２０】
0005396238.tif 000021
【図２１】
0005396238.tif 000022